(57)【特許請求の範囲】
【請求項１】
映像信号が供給されて前記映像信号に対応した映像を出力する映像出力装置と、他機器との間で制御信号及びデータの授受を行う第1のディジタルインタフェースと、この第1のディジタルインタフェースを介して供給されるデータに含まれる映像信号に対応するデータを解読して前記映像出力装置に供給される映像信号を生成するデコーダとを備えたＡＶ機器と、
電話回線に接続されてこの電話回線を介して通話を行う機能を有し、且つ、前記電話回線を介して送られてきた信号の中から発信電話番号情報を抽出する機能を有し、抽出された発信電話番号情報を他機器に送出する第２のディジタルインタフェースを備えた通信機器と、
前記通信機器から送られてくる前記発信電話番号情報を受信する第３のディジタルインタフェースと、この第３のディジタルインタフェースを介して供給される前記発信電話番号情報に含まれる電話番号と各々の電話番号に対する着信時の処理情報を対応させた書き換え可能な発信電話番号対応テーブルとを備えた制御機器と、を備えたディジタルＡＶシステムであって、
前記第1のディジタルインタフェースと前記第２のディジタルインタフェースと前記第３のディジタルインタフェースとが相互にディジタルバスで接続され、
前記通信機器に着信があった場合には、前記制御機器により、前記発信電話番号対応テーブルを検索し、前記第３のディジタルインタフェースを介して供給される前記発信電話番号情報に含まれる着信した電話の電話番号に対応する処理情報を得、この処理情報を前記第３のディジタルインタフェースと第１のディジタルインタフェースを介して前記ＡＶ機器に対して送出し、前記ＡＶ機器では、前記処理情報に基づいた映像信号を生成して前記映像出力装置に前記発信電話番号情報に関連する情報を表示するようにしたディジタルＡＶシステム。
【請求項２】
前記第１、第２、第３ディジタルインタフェース及びディジタルバスの仕様は、ＩＥＥＥ１３９４規格に基づき又は準拠することを特徴とする請求項１に記載のディジタルＡＶシステム。
【請求項３】
前記発信電話番号情報に関連する情報を表示する前記映像出力装置は、音声信号に対応した音を出力するものを含むことを特徴とする請求項１に記載のディジタルＡＶシステム。
【請求項４】
前記制御機器は、前記通信機器に接続してある電話回線の状態を監視する機能を備え、この監視する機能は、受信者側の呼出しの受付状態を時間情報と共に履歴し、この履歴のうち、直近の呼出し履歴から前記発信者側の電話番号があるものに対して、その一覧からの選択操作によって選択された電話番号への呼び返しを行うことを特徴とする請求項１に記載のディジタルＡＶシステム。
【請求項５】
前記制御機器には、前記通信機器の着信、発呼に際しての応答履歴を記録・管理する手段を設けたことを特徴とする請求項１に記載のディジタルＡＶシステム。
【請求項６】
前記制御機器には、前記通信機器に対して電話のブロッキング及び伝言の伝送を行わせる機能を備えたことを特徴とする請求項１に記載のディジタルＡＶシステム。
【請求項７】
前記映像出力装置に前記発信電話番号情報に関連する情報の表示が映像による表示の場合は、その映像による表示の表示情報が、地域名、人名等を含むテキストデータ、アイコン、静止画、アニメーションの何れか又はその組合せたものであることを特徴とする請求項１に記載のディジタルＡＶシステム。
【請求項８】
前記映像による表示の場合において、その表示される映像に対して点滅、位置の変更、形状の変化を伴うようにしたことを特徴とする請求項７に記載のディジタルＡＶシステム。
【請求項９】
前記映像出力装置に前記発信電話番号情報に関連する情報の表示が音による明示の場合は、その音による明示の明示情報が、断続音、合成音声、メロディ等の音楽、発信音、録音音声を含む呼出音の何れか又はその組合せたものであることを特徴とする請求項１に記載のディジタルＡＶシステム。
【請求項１０】
前記制御機器に備えてある発信電話番号対応テーブルは、市外局番と地域名テキストデータ及び又は地域別音声出力情報によって構成されるプリセットテーブルと、利用者が予め登録する書き換え可能なユーザーテーブルとで構成し、前記ユーザーテーブルは地域名、人名等を含むテキストデータ、アイコン、静止画、アニメーションの何れか又はその組合せからなる表示情報を予め登録し或は前記制御機器で用意した表示制御用データを選択して登録するようにし、または、ユーザーテーブルは断続音、合成音、メロディ等の音楽、発信者、録音音声を含む呼出音の何れか又はその組合せからなる明示情報を予め登録し或は前記制御機器で用意した明示情報用データを選択して登録することを特徴とする請求項１に記載のディジタルＡＶシステム。
【請求項１１】
前記制御機器は、前記ユーザーテーブルに伝言有りと設定された発信電話番号からの呼出しの場合には、前記通信機器を自動着信の状態にさせ、予め録音してあるメッセージ或は伝言メッセージを応答させるようにしたことを特徴とする請求項１０に記載のディジタルＡＶシステム。
【請求項１２】
前記制御機器は、前記ユーザーテーブルに着信拒絶有りと設定された電話番号からの呼出しの場合には、前記通信機器をオフフックさせ、予め録音してあるメッセージ或は拒絶メッセージを応答させ、或は応答せずに自動的にオンフックして回線断の状態にすることを特徴とする請求項１０に記載のディジタルＡＶシステム。
【請求項１３】
前記制御機器は、前記通信機器に着信があった場合に、その発信電話番号が送信されない場合であって、通知されるべき発信電話番号の非通知理由が特定の理由のときには、この特定の理由を表す情報を前記第３のディジタルインタフェースと第１のディジタルインタフェースを介して前記ＡＶ機器に対して送出し、前記ＡＶ機器では、この特定の理由を表す情報に基づいた映像信号を生成して映像出力装置に表示するようにしたことを特徴とする請求項１に記載のディジタルＡＶシステム。
【請求項１４】
前記特定の理由を表す情報には、少なくとも、発信者が電話番号の送出を拒否した発信と、サービス供給エリア外からの発信と、公衆電話からの発信と、を含むことを特徴とする請求項１３に記載のディジタルＡＶシステム。
【請求項１５】
前記制御機器は、前記通信機器に着信があった場合に、その発信電話番号が送信されない場合であって、通知されるべき発信電話番号の非通知理由が通知されないときには、この非通知理由が通知されないこと表す情報を前記第３のディジタルインタフェースと第１のディジタルインタフェースを介して前記ＡＶ機器に対して送出し、前記ＡＶ機器では、この非通知理由が通知されないことを表す情報に基づいた映像信号を生成して映像出力装置に表示するようにしたことを特徴とする請求項１に記載のディジタルＡＶシステム。
【発明の詳細な説明】
【０００１】
【発明の属する技術分野】
本発明は、テレビジョン受像機等のＡＶ機器と、パーソナルコンピュータ（以下、パソコンという）等の制御機器とをディジタルインタフェースを介して接続したディジタルＡＶシステムに関し、特に、通信回線と接続した通信機器をも備え、通信機器の制御を制御機器が行うディジタルＡＶシステムに関するものである。
【０００２】
【従来の技術】
発信電話番号（発ＩＤ）を着信側へ通知するサービスである発信電話番号通知サービスは、アメリカでは１９８７年より「Ｃａｌｌｅｒ  ＩＤ」のサービス名で提供が開始され、１９９４年９月現在、既に４８の州で提供中であり、契約者数は１９９３年末現在、１５０万人に達し、前年比５０パーセント増に及んでいる。
イギリスにおいても「Ｃａｌｌｅｒ  Ｄｉｓｐｌａｙ」のサービス名で提供が開始されているが、日本では、現在一部のＩＳＤＮ端末間に同様のサービスが提供されているのみであり、平成８年度第３四半期より６ヶ月間横浜、名古屋、福岡の地域で、試験的に「発信電話番号通知サービス」、「呼び返しサービス」
の名称（仮）でサービスを開始する予定となっている。
【０００３】
アメリカのベルアトランティック社の例を上げると、電話をかけた人の電話番号を呼び出された側の電話に取り付けた表示装置に表示するサービスを、１９８９年よりフィラデルフィア等でＩＱサービスの名称で提供している。これは、クラスサービスと呼ばれる定額サービスのうちの一つであり、クラスサービスにはこの他にも下記のものがある。
【０００４】
（１）特定番号の着信拒否（Ｃａｌｌ  Ｂｌｏｃｋ）
このサービスは、日本でも既に「迷惑電話お断りサービス」の名称で都市部において限定的に行われている。
【０００５】
（２）発信者番号検索（Ｃａｌｌ  Ｔｒａｃｅ）
これはいわば逆探知で、通話後一定時間内に特定の番号へ発呼すると相手の番号、接続時間、逆探知時間などが、電話会社に記録される。
【０００６】
（３）識別呼び出し（Ｐｒｉｏｒｉｔｙ  Ｃａｌｌ）
これは、登録しておいた発信者電話番号によって、呼び出し音を変えられるサービスであり、親類、友人等からの電話か、初めての人からの電話かを電話をとる前に知ることができる。
【０００７】
（４）自動リダイアル（Ｒｅｐｅａｔ  Ｃａｌｌ）
これは、相手が話中のとき、相手が電話を終わったら接続してくれるサービスである。
【０００８】
（５）直近呼の呼び返し（Ｒｅｔｕｒｎ  Ｃａｌｌ）
直近にかかってきた電話番号に自動的にダイアルするサービスであり、知らない人からの電話でもこちらからかけることができ、特にいたずら電話の相手を調べるときに有効なサービスである。
【０００９】
上記のようなサービスに対しては、着信者側のプライバシー保護、いたずら電話の防止、警察、消防等の発信者特定等の見地から肯定的な意見が多いが、一部には、発信者のプライバシーの侵害、非公開電話番号がわかってしまう等の理由から否定的な意見もある。
【００１０】
アメリカ、イギリスともこのような否定的な意見を考慮し、発信電話番号の「通常通知」を基本としながらも、発信電話番号通知を望まない旨を電話会社に申し込むことで、個別に「通常非通知」とすることもできるようになっている。
【００１１】
日本でも、「通常通知」「通常非通知」を選択の上で、通常通知を選んだ場合でも、相手先電話番号の前に特定の番号をダイアルすると、発信電話番号を通知しないようにすることが考えられている。
【００１２】
アメリカのＡＴ＆Ｔ者は、上記（１）〜（５）のように実用化されているサービスを実施するために必要な技術については当然のことながら、更に、以下のようなアイデアも特許化している。
【００１３】
自動番号確認（ＡＮＩ:Automatic Number Identification）を情報の安全管理に使う（ＵＳ５００３５９５）。受話器を上げると、誰が電話をかけてきたかを音声で告げる（ＵＳ４８９９３５８）。電話のかけ先や発信者のＩＤによって呼び出し音を変える（ＵＳ４９９５０７５）。発信者によって留守番電話の応答を変える（ＵＳ４９９６７０４）。音声メールの着信時間やＩＤを画面に表示する（ＵＳ５００３５７７）。
【００１４】
以上列挙した他にも、発信電話番号を用いて交換局側の様々な処理を自動化するアイデアが数多く特許化されている。
【００１５】
本発明者は、発信電話番号通知サービスの利用者側の立場からの問題点の解消を目的とし、先に「発信電話番号通知機能を備えた電話回線と接続したディスプレイ装置」（特願平７−２９２７７４）を開示した。
【００１６】
従来の発信電話番号通知サービスは、殆ど発信電話番号を使用してネットワーク（電話回線網）及び交換機側で処理することにより実現されている。しかし、発信電話番号通知サービスの中心技術である発信電話番号の送信自体はネットワーク及び交換機側で処理する必要があることはいうまでもないが、各端末の電話機のユーザインタフェースについてまで利用者の発信電話番号通知サービスの要不要に関わらずネットワーク及び交換機側で処理しようとすると、インフラの準備に膨大な費用と時間を必要とする。
【００１７】
更に、発信電話番号通知サービスの利用希望者のみを対象とするとしても、利用者により利用形態、生活形態によって発信電話番号通知の時間等を含めた利用の仕方が異なるので、画一的なサービスでは利用者の満足が得られず、かといって各利用者の要求に細かく対応することができるサービスシステムをネットワーク側のみで構成するにはコストがかかり、ひいては利用料金の増加につながるからこれも良策とは言えない。
【００１８】
発信電話番号の表示、迷惑電話の着信拒絶、逆探知、発信者別呼出音等の各種サービスは、発信電話番号さえ受信すれば個々の受信端末で処理することができるものである。従って、発信電話番号通知サービスにおけるユーザインタフェースに関する部分は各受信端末側で処理することが望ましいと考えられ、上記「発信電話番号通知機能を備えた電話回線と接続したディスプレイ装置」を提案した理由もここにある。
【００１９】
発信電話番号通知を行う交換機と、上記「発信電話番号通知機能を備えた電話回線と接続したディスプレイ装置」のような発信電話番号の受信機能を有する端末機器（ＩＤ受信端末）との間では、以下に示すような通信が行われる。
【００２０】
図２０に示すように、先ず最初に交換機側は、回線のＬ１、Ｌ２の極性を反転した後、ＩＤ受信端末起動信号をＩＤ受信端末に対して送出する。このＩＤ受信端末起動信号を受信したＩＤ受信端末は、一次応答信号を返送する。
【００２１】
次に、交換機側は、発信電話番号をＩＤ受信端末に対して送信する。ＩＤ受信端末は、この発信電話番号を受信すると、発信電話番号を画面に表示したり、予め発信電話番号別に対応づけて用意しておいた情報、例えば、発信者名等を表示させたり音声出力させたりすることができる。従って、ＩＤ受信端末側では、オフフックする前に予めだれからの呼出なのかを把握することができる。又、受信した発信電話番号の内容に応じて、着信する、着信を拒絶する、伝言を送信する等の対応の仕方を予め決めることもできる。
【００２２】
発信電話番号情報を受信したＩＤ受信端末は、受信完了信号を交換機側に対して返送する。交換機は、この受信完了信号を受信すると、呼出信号を送出し、ＩＤ受信端末側では、ベルが鳴る等して呼出がかかる。ここで、ＩＤ受信端末側をオフフックにすることにより、交換機に対して二次応答信号を送出し、その後交換機側がＬ１、Ｌ２の極性を復極させると、通信ができる状態、即ち通信中となる。通信中となれば、伝言メッセージや拒絶メッセージを送出したりすることが可能となる。又、メッセージの送信後は、自動的にオンフックにして回線を切ることもできる。
【００２３】
【発明が解決しようとする課題】
しかしながら、上記したような発信電話番号の受信機能を備えた端末機器は、内蔵したマイクロコンピュータ（以下、マイコンという）により全体の表示動作を制御するように構成されている一般のテレビジョン受像機等に、ＮＣＵ及びモデム等の通信機能を付加して交換機及び電話機との接続を可能としたものであり、ＮＣＵ及びモデム等を介して受信した発信電話番号に基づき上記マイコンに発信電話番号通知処理を実行させることにより発信電話番号通知受信機能を持たせたものである。
【００２４】
従って、このような発信電話番号受信機能を有するテレビジョン受像機は、メモリの容量の増加やＮＣＵ及びモデムの内蔵により、通常のテレビジョン受像機に比してコスト及び負荷電力の増加を伴うものであり、問題となっていた。
【００２５】
一方、発信電話番号通知サービスが普及している将来を展望すると、当然、発信電話番号受信機能付き電話機が普及価格で存在し、また、パソコン等の制御機器が一般家庭に相当数普及し、テレビジョン受像機も現在より更に高度化し普及していると思われる。
【００２６】
つまり、電話機は発信電話番号受信機能を有し、コンピュータはＣＰＵ、メモリ等からなる制御機能を有し、テレビジョン受像機は放送映像に重畳してあるいは単独に文字、図表等を表示する表示機能を有するといったように、上記した発信電話番号受信機能を有するテレビジョン受像機と同等又はそれ以上の機能を賄うには充分過ぎる程のリソースが家庭内に分散して存在している状況がありうる。
【００２７】
従って、本発明は、１個の発信電話番号通知対応テレビジョン受像機ではなく、発信電話番号通知サービスを利用したい人が、家庭内に分散して存在する電話機、テレビジョン受像機、制御機器等が持つ各リソースを連携させて有効利用することにより構成することができるディジタルＡＶシステムを提供することに課題を有する。
【００２８】
【課題を解決するための手段】
上記課題を解決するために、本発明に係るディジタルＡＶシステムは次に示す構成にすることである。
（１）ディジタルＡＶシステムは、映像信号が供給されて前記映像信号に対応した映像を出力する映像出力装置と、他機器との間で制御信号及びデータの授受を行う第1のディジタルインタフェースと、この第1のディジタルインタフェースを介して供給されるデータに含まれる映像信号に対応するデータを解読して前記映像出力装置に供給される映像信号を生成するデコーダとを備えたＡＶ機器と、電話回線に接続されてこの電話回線を介して通話を行う機能を有し、且つ、前記電話回線を介して送られてきた信号の中から発信電話番号情報を抽出する機能を有し、抽出された発信電話番号情報を他機器に送出する第２のディジタルインタフェースを備えた通信機器と、前記通信機器から送られてくる前記発信電話番号情報を受信する第３のディジタルインタフェースと、この第３のディジタルインタフェースを介して供給される前記発信電話番号情報に含まれる電話番号と各々の電話番号に対する着信時の処理情報を対応させた書き換え可能な発信電話番号対応テーブルとを備えた制御機器と、を備えたディジタルＡＶシステムであって、前記第1のディジタルインタフェースと前記第２のディジタルインタフェースと前記第３のディジタルインタフェースとが相互にディジタルバスで接続され、前記通信機器に着信があった場合には、前記制御機器により、前記発信電話番号対応テーブルを検索し、前記第３のディジタルインタフェースを介して供給される前記発信電話番号情報に含まれる着信した電話の電話番号に対応する処理情報を得、この処理情報を前記第３のディジタルインタフェースと第１のディジタルインタフェースを介して前記ＡＶ機器に対して送出し、前記ＡＶ機器では、前記処理情報に基づいた映像信号を生成して前記映像出力装置に前記発信電話番号情報に関連する情報を表示するようにしたことである。
（２）前記第１、第２、第３ディジタルインタフェース及びディジタルバスの仕様は、ＩＥＥＥ１３９４規格に基づき又は準拠することを特徴とする（１）に記載のディジタルＡＶシステム。
（３）前記発信電話番号情報に関連する情報を表示する前記映像出力装置は、音声信号に対応した音を出力するものを含むことを特徴とする（１）に記載のディジタルＡＶシステム。
（４）前記制御機器は、前記通信機器に接続してある電話回線の状態を監視する機能を備え、この監視する機能は、受信者側の呼出しの受付状態を時間情報と共に履歴し、この履歴のうち、直近の呼出し履歴から前記発信者側の電話番号があるものに対して、その一覧からの選択操作によって選択された電話番号への呼び返しを行うことを特徴とする（１）に記載のディジタルＡＶシステム。
（５）前記制御機器には、前記通信機器の着信、発呼に際しての応答履歴を記録・管理する手段を設けたことを特徴とする（１）に記載のディジタルＡＶシステム。
（６）前記制御機器には、前記通信機器に対して電話のブロッキング及び伝言の伝送を行わせる機能を備えたことを特徴とする（１）に記載のディジタルＡＶシステム。
（７）前記映像出力装置に前記発信電話番号情報に関連する情報の表示が映像による表示の場合は、その映像による表示の表示情報が、地域名、人名等を含むテキストデータ、アイコン、静止画、アニメーションの何れか又はその組合せたものであることを特徴とする（１）に記載のディジタルＡＶシステム。
（８）前記映像による表示の場合において、その表示される映像に対して点滅、位置の変更、形状の変化を伴うようにしたことを特徴とする（７）に記載のディジタルＡＶシステム。
（９）前記映像出力装置に前記発信電話番号情報に関連する明示情報の表示が音による明示の場合は、その音による明示の明示情報が、断続音、合成音声、メロディ等の音楽、発信音、録音音声を含む呼出音の何れか又はその組合せたものであることを特徴とする（１）に記載のディジタルＡＶシステム。
（１０）前記制御機器に備えてある発信電話番号対応テーブルは、市外局番と地域名テキストデータ及び又は地域別音声出力情報によって構成されるプリセットテーブルと、利用者が予め登録する書き換え可能なユーザーテーブルとで構成し、前記ユーザーテーブルは地域名、人名等を含むテキストデータ、アイコン、静止画、アニメーションの何れか又はその組合せからなる表示情報を予め登録し或は前記制御機器で用意した表示制御用データを選択して登録するようにし、または、ユーザーテーブルは断続音、合成音、メロディ等の音楽、発信者、録音音声を含む呼出音の何れか又はその組合せからなる明示情報を予め登録し或は前記制御機器で用意した明示情報用データを選択して登録することを特徴とする（１）に記載のディジタルＡＶシステム。
（１１）前記制御機器は、前記ユーザーテーブルに伝言有りと設定された発信電話番号からの呼出しの場合には、前記通信機器を自動着信の状態にさせ、予め録音してあるメッセージ或は伝言メッセージを応答させるようにしたことを特徴とする（１０）に記載のディジタルＡＶシステム。
（１２）前記制御機器は、前記ユーザーテーブルに着信拒絶有りと設定された電話番号からの呼出しの場合には、前記通信機器をオフフックさせ、予め録音してあるメッセージ或は拒絶メッセージを応答させ、或は応答せずに自動的にオンフックして回線断の状態にすることを特徴とする（１０）に記載のディジタルＡＶシステム。
（１３）前記制御機器は、前記通信機器に着信があった場合に、その発信電話番号が送信されない場合であって、通知されるべき発信電話番号の非通知理由が特定の理由のときには、この特定の理由を表す情報を前記第３のディジタルインタフェースと第１のディジタルインタフェースを介して前記ＡＶ機器に対して送出し、前記ＡＶ機器では、この特定の理由を表す情報に基づいた映像信号を生成して映像出力装置に表示するようにしたことを特徴とする（１）に記載のディジタルＡＶシステム。
（１４）前記特定の理由を表す情報には、少なくとも、発信者が電話番号の送出を拒否した発信と、サービス供給エリア外からの発信と、公衆電話からの発信と、を含むことを特徴とする（１３）に記載のディジタルＡＶシステム。
（１５）前記制御機器は、前記通信機器に着信があった場合に、その発信電話番号が送信されない場合であって、通知されるべき発信電話番号の非通知理由が通知されないときには、この非通知理由が通知されないこと表す情報を前記第３のディジタルインタフェースと第１のディジタルインタフェースを介して前記ＡＶ機器に対して送出し、前記ＡＶ機器では、この非通知理由が通知されないことを表す情報に基づいた映像信号を生成して映像出力装置に表示するようにしたことを特徴とする（１）に記載のディジタルＡＶシステム。
【００２９】
上記のように構成したことにより、システムを構成する各ＡＶ機器の回路やメモリの容量等を変えることなく、発信電話番号の受信等の処理を行うディジタルＡＶシステムを実現することができる。
【００３０】
【発明の実施の形態】
本発明に係るディジタルＡＶシステムの実施の形態について説明する前に、代表的なディジタルバスである１３９４バスの概要について説明しておく。
【００３１】
１３９４バスは、複数のＡＶ機器をデイジーチェーン方式若しくはツリー方式で挿脱自在に接続することが可能なシリアルバスであって、新しいノード（ＡＶ機器）が接続されたことを自動的に検出する能力を備えているため、ノードの追加や削除があった場合でも、各ノードのＩＤを再設定する、各機器のリセットを行う等の作業は不要であるという長所を有している。
【００３２】
１３９４バスを構成するケーブルは、２本のデータ線、２本のストローブ線、２本の電源線の計６本の線を束ねたものである。
２本の電源線があることで、バスの途中にある機器の電源が落ちていても、電源が落ちている機器に対しては信号をバススルーさせるために必要な電力を供給できるので、電源の落ちている機器の先の機器にも正常にアクセスすることができる。
【００３３】
一方、データ転送は、データ線２本、ストローブ線２本の計４本を使用してシリアル転送にて行う。
データ線とストローブ線は２本で一組となっており、この２本ずつの組が２組ある。データ線、ストローブ線とも２本あるのは、１３９４バスでは、電圧の高低を、基準電位に対する高低ではなく、２本の信号線のうちどちらが高いかで判断するためである。こうすることにより、グランドレベルの変動による誤動作を防止することができる。
【００３４】
又、データ線とストローブ線という２系統の信号線を使用するが、これは、ストローブ線にクロックを載せてデータ線と同期をとるのではなく、データ線上で同じデータが続くときのみストローブ線の電圧レベルを変化させるようにし、データ線上でデータが変化するときにはストローブ線は変化させないようにするためである。即ち、データ線又はストローブ線のどちらかの電位が変化したときにデータ線のデータを読み取るのである。この方式をＤＳ−リンク方式という。このＤＳ−リンク方式によれば、２本の信号線は時間的な揺れに強くなり、データ線とストローブ線のタイミングのずれによる誤動作を防止することができる。又、従来のシリアル転送のようにスタートビットとストップビットを挿入する必要がなくなるので、転送速度も向上する。
【００３５】
このように構成したケーブルの両端には、トランシーバを内蔵したコネクタを備えている。このコネクタをＡＶ機器の１３９４インタフェース部に接続することにより、デイジーチェーン方式又はツリー方式での接続が可能となる。
【００３６】
１３９４バスは、特定の機器がバスを独占したり、複数の機器がバスを同時に使用したりすることを回避するために、バスアービトレーション機能を有している。
１３９４バスでは、データをパケットとして転送するが、このパケットのサイズは最大で５１２バイトと決められている。又、他のインタフェースのように機器間で優先順位を定めてはいないので、全ての機器が対等な関係にある。従って、原則として膨大な量のデータを一度に転送することはできず、他にデータを転送しようとする機器があれば、その機器に転送権を譲らなければならなくなり、その転送が終わるまで待たなければならないという状況が発生しうる。
【００３７】
しかしながら、１３９４バスでは、本当に緊急にデータを転送したいときのために、「緊急パケット」というものが用意されており、既に一度転送を終えていて当分転送権が与えられないような状況でも、３回までは他の機器に優先してパケットを送ることができる。
【００３８】
１３９４バスの最も特徴的な機能は、バスの一定幅をマルチメディアデータなどの転送に割り当てる「アイソクロナス転送」機能である。この機能を実現するために、１３９４バスには、通常のパケットと前述の緊急パケットの他に、「アイソクロナスパケット」というパケットがある。
このアイソクロナスパケットは、リアルタイム性を要求されるデータの転送を目的としたもので、例えば、デジタルカメラとサンプリング用マイクとをつないでいるときなどは、他の機器からの緊急パケットが多くても映像や音声が途切れては困るということから設けられたものである。
【００３９】
このアイソクロナスパケットは、緊急パケットを含むどのパケットにも優先して転送が行われるものである。１３９４バスは、８０００分の１秒毎にスタートパケットを発信し、これが出るとアイソクロナスパケットに転送権が与えられ、これらの転送が終わらないうちは他のパケットは送信できないことになっている。
【００４０】
次に、本発明に係るディジタルＡＶシステムの望ましい実施の形態として、図１に示すような、代表的なＡＶ機器、ディスプレイ機器であるテレビジョン受像機ＴＶ（以下単にＴＶという）と、制御機器であるパーソナルコンピュータＰＣ（以下単にＰＣという）と、通信機器である発信電話番号受信機能付き電話機ＰＨ（以下電話機ＰＨという）とを、前述の１３９４ディジタルＡＶバス（以下「１３９４バス」という）で接続したディジタルＡＶシステムについて説明する。
【００４１】
上記テレビジョン受像機ＴＶ、制御機器ＰＣ、電話機ＰＨの他にも、１３９４バスには任意の種類のＡＶ機器を接続可能であるが、本実施形態においては、ビデオレコーダＶＣＲ１、ＶＣＲ２等を図１に示すように接続している。尚、１３９４バスの仕様により、１つの１３９４バスに接続できるＡＶ機器の最大数は６３で、接続する順序は任意である。
【００４２】
各ＡＶ機器は、夫々通信処理部としてのディジタルインタフェース、即ち本実施形態においてはＩＥＥＥ１３９４インタフェース（以下、１３９４Ｉ／Ｆという）とマイコン等の制御部とを内蔵している。各１３９４Ｉ／Ｆの一方の端子は夫々のＡＶ機器の制御部と接続されており、他方の端子は１３９４バスと接続されている。
【００４３】
各ＡＶ機器の１３９４Ｉ／Ｆには周期的にタイムスロットが割り当てられ、各１３９４Ｉ／Ｆは自分に割り当てられたタイムスロット内において宛先付きデータを送信し、自己宛のデータを受信し、又は自己宛以外のデータを受信せずに通過させる。このようにして、各ＡＶ機器は任意のＡＶ機器と高速でデータの授受を行うことができる。
【００４４】
通信機器である電話機ＰＨは、通常のアナログ電話回線に接続する場合には、モデムとＮＣＵとを有する電話機を用い、ＩＳＤＮ回線のようなディジタル回線と接続する場合はＴＡとＤＳＵとを有する電話機を用いる。以下、アナログ電話回線と接続する場合について説明する。
【００４５】
各ＡＶ機器は普段は単体としての機能を果たしているが、ディジタルＡＶシステムの一部として動作する場合は、電話機ＰＨが発信電話番号通知を受信した時、発信電話番号情報を１３９４バスを介して制御機器ＰＣへこの旨を通知する。これに応じて制御機器ＰＣは、その発信電話番号に対応する処理（表示、音声出力、着信拒絶、伝言等）を表すコマンドをテレビジョン受像機ＴＶ及び又は電話機ＰＨへ送り、夫々に処理を行わせる。
【００４６】
以下、ディスプレイ（映像出力装置）を有するＡＶ機器であるテレビジョン受像機ＴＶ、少なくとも通話機能を備えた通信機器である電話機ＰＨ、制御機器であるパーソナルコンピュータＰＣの各構成並びに全体システムの動作について順に説明する。
【００４７】
テレビジョン受像機ＴＶは、図２に示すように、放送電波を受信するアンテナ１と、アンテナ１に接続されたチューナ２と、チューナ２の出力端子に接続された中間周波回路３と、中間周波回路３の出力を夫々の入力とする映像処理部４及び音声処理部５と、映像処理部４の出力端子に接続された重畳表示処理部６と、重畳表示処理部６の出力端子と接続された表示器７と、音声処理部５の出力端子に接続された混声処理部８と、混声処理部８の出力端子と接続されたスピーカ９と、ＣＰＵ２１と、データバス２２と、チューナ２とデータバス２２との間に介在するＩ／Ｏ回路２３と、データバス２２と重畳表示処理部６との間に介在するＶＲＡＭ２４及びディスプレイコントローラ２５と、データバス２２と混声処理部８との間に介在するＩ／Ｏ回路２６と、Ｉ／Ｏ回路２６を介してデータバス２２と接続されたリモコン信号デコーダ２７と、リモコン信号デコーダ２７と赤外線信号で接続されるリモコン２８と、Ｉ／Ｏ回路２９を介してデータバス２２と接続されたタイマ３０と、夫々データバス２２と接続されたＲＯＭ３１、ＥＥＰＲＯＭ３２、ＲＡＭ３３と、１３９４Ｉ／Ｆ３４と、映像信号デコーダ３５と、音声信号デコーダ３６と、Ｄ／Ａ変換機３７、３８とから構成されている。
【００４８】
アンテナ１で受信した電波は、チューナ２に供給する。チューナ２にはＩ／Ｏ回路２３を介して選局信号が供給されているので、この選局信号で指定されたチャンネルの放送信号を選択して中間周波信号に変換し中間周波回路３へ出力する。
【００４９】
中間周波回路３は、中間周波信号から映像信号と音声信号とを復調し、映像信号を映像処理部４へ、音声信号を音声処理部５へ夫々出力する。
【００５０】
映像処理部４で処理された映像信号は、重畳表示処理部６の一方の入力端子ａに入力する。重畳表示処理部６の他方の入力端子ｂには、後述するディスプレイコントローラ２５から供給される文字、文字列、記号、アイコン、静止画像、アニメーション等の映像データを入力する。
【００５１】
重畳表示処理部６は、Ｄ／Ａ変換機３７と接続された入力端子ｃを有している。入力端子ｃには制御機器ＰＣから出力された表示データが入力する。
【００５２】
重畳表示処理部６は、ＣＰＵ２１から図示していない制御端子に入力する選択制御信号により制御され、入力端子ａ、ｂか入力端子ｃかを選択し、入力端子ａ、ｂを選択した場合はそれらの入力信号の重畳信号またはいずれか単独の信号を出力する入力切換機能も持っている。
【００５３】
表示器７は、重畳表示処理部６の出力信号をＣＲＴ画面に表示する。即ち、重畳信号は二つの映像信号にスーパーインポーズして表示し、いずれか単独の映像信号の場合は単独で表示する。
【００５４】
混声処理部８は、入力端子ｄ、ｅ、ｆを有している。入力端子ｄには音声処理部５で処理された放送音声信号を入力する。入力端子ｅには、Ｉ／Ｏ回路２６を介してＲＯＭ３１に格納されている音声データを入力する。また、入力端子ｆにはＤ／Ａ変換機３８から出力された発信電話番号通知処理関連の音声データを入力する。
【００５５】
混声処理部８は、ＣＰＵ２１から図示していない制御端子に入力する選択制御信号により制御され、入力端子ｄ、ｅか入力端子ｆかを選択し、入力端子ｄ、ｅを選択した場合はそれらの入力信号の混合信号又はいずれか単独の信号を出力する入力切換機能も持っており、選択した音声信号を音量調整や混声のバランスを取った後にスピーカ９へ出力する。
スピーカ９は、混声処理部８から出力された音声信号を音として出力する。
【００５６】
ＣＰＵ２１は、テレビジョン受像機ＴＶの動作全体を制御する。即ち、ＣＰＵ２１は、通常の放送受信時におけるチャンネル選択、表示、音声出力を制御すると共に、１３９４Ｉ／Ｆ３４を通じて制御機器ＰＣから送られてくるコマンドを解読し、これに基づき発信電話番号に関する各種表示及び音声出力を制御する。
【００５７】
データバス２２は、ＣＰＵ２１と他の回路とのデータ授受の経路である。
Ｉ／Ｏ回路２３は、ＣＰＵ２１の制御の下でチューナ２へチャンネル選択制御信号を送る。
ＶＲＡＭ２４は、放送映像に重畳して表示器７に表示したいメッセージ、メニュー、イメージ等の１画面分の画素データを記憶する揮発性のメモリである。
【００５８】
ディスプレイコントローラ２５は、ＣＰＵ２１の制御の下でＶＲＡＭ２４上に表示器７に表示する１画面分のメッセージ、メニュー、イメージ等をＲＯＭ３１に記憶されている文字、文字列、記号、アイコン、静止画、動画等で作成し、これを重畳表示処理部６へ送る。これらの１画面分のメッセージ、メニュー、イメージ等からなる情報は、通常の放送画像にスーパーインポーズされて表示器７に表示されることになる。
【００５９】
リモコン信号デコーダ２７は、利用者により操作されるリモコン２８から送信される赤外線のリモコン信号を受信して解読し、Ｉ／Ｏ回路２６を介してＣＰＵ２１へ送る機能を有する。
【００６０】
タイマ３０は、リアルタイムクロックを計時し、Ｉ／Ｏ回路２９を介してＣＰＵ２１へ時刻を知らせる。
ＲＯＭ３１はプログラム並びにフォント、静止画、アニメーション、アニメーション等の表示情報及び表示情報に対応した音声出力情報である明示情報等の固定データを記録する不揮発性メモリからなる記憶／記録手段である。
【００６１】
ＥＥＰＲＯＭ３２は、電気的に書き込み可能な不揮発性メモリからなる記憶／記録手段であり、可変データのうち重要なデータ、例えば、使用者が設定したチャンネル、音量、画質等に関するデータを記憶している。
ＲＡＭ３３はＣＰＵ２１が各種処理を実行する場合の作業データ等を一時的に記憶する揮発性のメモリである。
【００６２】
１３９４Ｉ／Ｆ３４は、１３９４バスの制御線をデータバス２２に接続し、１３９４バスのデータ線を映像信号デコーダ３５及び音声信号デコーダ３６に接続する機能を有している。これにより、テレビジョン受像機ＴＶは、他機器（制御機器ＰＣ及び電話機ＰＨ）との間で制御信号及びデータの授受が可能となる。
【００６３】
他機器からのデータの内、映像信号は映像信号デコーダ３５で解読され、Ｄ／Ａ変換機３７でアナログ信号に変換されて重畳表示処理部６の入力端子ｃに供給される。また、他機器からのデータの内、音声信号は音声信号デコーダ３６で解読され、Ｄ／Ａ変換機３８でアナログ信号に変換されて混声処理部８の入力端子ｆに供給される。
【００６４】
次に、通信機器である電話機ＰＨについて説明する。
電話機ＰＨは、図３に示すように、ＮＣＵ４０と、切換スイッチ４１と、受話器４２と、モデム４３と、ＣＰＵ４４と、データバス４５と、夫々データバス４５と接続されたＩ／Ｏ回路４６、４７、４８及びメモリ４９、５０と、Ｉ／Ｏ回路４８を介してＣＰＵ４４と接続されたＬＣＤＣ（液晶ディスプレイ制御回路）５１と、ＬＣＤＣ５１に制御され簡単な数字や文字を表示するＬＣＤ（液晶ディスプレイ）５２と、データバス４５及びディジタルＡＶバスに接続された１３９４Ｉ／Ｆ５３と、夫々１３９４Ｉ／Ｆ５３に接続された音声エンコーダ５４及び音声デコーダ５５と、音声エンコーダ５４及び音声デコーダ５５に接続されたＤ／Ａ変換器５６及びＡ／Ｄ変換器５７とから構成されている。
【００６５】
ＮＣＵ４０は加入者線５８を通じて交換機と接続されており、交換機との間で所定の規約に従った信号の授受を行う。
切換スイッチ４１は、受話器４２と接続された端子ａ、ｂとＤ／Ａ変換器５６と接続された端子ｃと、Ａ／Ｄ変換器５７と接続された端子ｄと、ＮＣＵ４０と接続された端子ｅ、ｆと、端子ｅ、ｆに各一端を接続された接片４１ａ、４１ｂとを有する。
【００６６】
接片４１ａ、４１ｂはＣＰＵ４４からＩ／Ｏ回路４６を介して供給される切替制御信号により制御されて同時に同方向に切り替わり、ＮＣＵ４０（即ち電話回線５８を経て相手方）を受話器４２側又は１３９４Ｉ／Ｆ５３側に接続する。
【００６７】
切換スイッチ４１によりＮＣＵ４０が１３９４Ｉ／Ｆ５３側に接続された時は、外部機器から１３９４Ｉ／Ｆ５３に入力した音声データは音声デコーダ５５とＤ／Ａ変換器５６を経てアナログ信号となってＮＣＵ４０、加入者線５８を経て相手側へ送信される。また、ＮＣＵ４０に入力した相手側からの信号はＡ／Ｄ変換器５７でディジタル信号に変換され音声エンコーダ５４で符号化された後１３９４Ｉ／Ｆ５３を介して制御機器ＰＣへ送られる。
【００６８】
モデム４３は、交換機からＮＣＵ４０が受信した発信電話番号通知信号を復調し、Ｉ／Ｏ回路４７を介してＣＰＵ４４へ出力する。これにより、ＣＰＵ４４は発信電話番号通知を検出することになる。
【００６９】
ＣＰＵ４４は、（１）データバス４５、Ｉ／Ｏ回路４７、モデム４３、ＮＣＵ４０、加入者線５８を通じて交換機との間で発信電話番号通知サービスに関するデータの授受を行い、（２）Ｉ／Ｏ回路４８とＬＣＤＣ５１とを介してＬＣＤ５２に発信電話番号等の所定の表示を行わせ、（３）切換スイッチ４１を制御して交換機側と受話器４２又は１３９４Ｉ／Ｆ５３側との接続切り換えを行わせ、（４）データバス４５と１３９４Ｉ／Ｆ５３とを通じて制御機器ＰＣとの間で発信電話番号処理関連のデータを授受する。
【００７０】
上記のように、電話機ＰＨは、受話器４２と相手先との通話の制御、交換機との信号の授受、ＬＣＤ５２の画面への発信電話番号等の簡単な表示、１３９４Ｉ／Ｆ５３を通じての制御機器ＰＣとのデータの授受等の各種機能を有する。
【００７１】
次に、制御機器ＰＣについて説明する。
制御機器ＰＣは、図示していないが、制御手段であるＣＰＵ、ＲＡＭ、ＲＯＭ、ＥＥＰＲＯＭ等のメモリ、ディスプレイ、キーボード、マウス、ディスク装置等から構成された一般的なパソコンに１３９４Ｉ／Ｆを付加して構成した機器である。
【００７２】
図４に示すようなプリセットテーブル６０と図５に示すようなユーザー登録テーブル６１とが、ＥＥＰＲＯＭ若しくはディスク装置に格納されている。
【００７３】
プリセットテーブル６０は、メッセージエリア（ＭＡ）番号６０ａと、表示情報６０ｂと、音声出力時の明示情報であるディジタル音声データ６０ｃとを対応付けた表であり、メッセージエリア番号６０ａをインデックスとして、表示情報６０ｂとディジタル音声データ６０ｃとを読み出せるようになっている。
【００７４】
メッセージエリア番号６０ａは地域の市外局番を表すが、市外局番の先頭の数字は常に”０”であるため、先頭の”０”を取り除いた数字で表される。表示情報６０ｂは、市外局番に対応した地域名等からなるテキストデータであるが、アイコン、静止画、アニメーションの何れか１つ又は２つ以上の組合せにより構成することも可能である。又、ディジタル音声データ６０ｃは、合成音声、メロディー等の音楽、発信音、録音音声の何れか１つ又は２つ以上の組合せから構成されている。
【００７５】
ユーザー登録テーブル６１は使用者が予めＥＥＰＲＯＭ若しくはディスク装置に登録するもので、発信電話番号６１ａと、その電話番号の持ち主の名や愛称を表す表示情報である文字列６１ｂと、音声出力時の明示情報である選択メロディー６１ｃと、自動着信の有無、伝言の有無、着信拒絶（ブロッキング）の有無等が設定されている着信設定情報６１ｄと、伝言又は拒絶メッセージデータの格納場所を示すメッセージデータアドレス６１ｅとを対応付けた表で形成されている。
【００７６】
ユーザー登録テーブル６１に登録するときは、制御機器ＰＣのディスプレイに図６（Ａ）に示すような登録画面６２を表示させた後、キーボード又はマウスを使用してデータを入力する。従って、従来のようにＴＶ画面に表示させていた場合とは異なり、漢字混じりのデータを入力することもできる。
【００７７】
登録画面６２中のメロディは、図５における選択メロディ６１ｃを表しており、予め用意されたメロディの中から選択する。
メッセージは、自動着信を”あり”と設定した場合のみ指定する伝言又は拒絶メッセージで、予め準備されている合成音声等又は自分で録音した音声等の中からを選択する。尚、伝言又は拒絶メッセージの録音は制御機器ＰＣに設けられているマイクロホンを用いて行ってもよいし、本ディジタルＡＶシステムを構成する音響機器等を用いてもよい。従って、断続音、任意の音楽、録音音声等をメッセージとすることもでき、更に、これらの組み合わせとして使用することも可能である。
表示文字列の欄には、着信時にテレビジョン受像機ＴＶの画面等に表示する相手の名前等を制御機器ＰＣのキーボードを使用して入力する。従って、漢字による入力も可能である。
図６（Ｂ）は入力し終わった後の登録画面６２の例を示す。
【００７８】
プリセットテーブル６０及びユーザー登録テーブル６１の他、着信履歴テーブルや、静止画、アニメーション等の固定データがＥＥＰＲＯＭ等に記憶され、必要に応じて読み出すことができる。
図７は着信履歴テーブルの表示例６３を示す。これは、着信時のダイヤル状態、例えば拒否、留守、着信等の表示とその時間をテーブルに表すようになっている。
【００７９】
着信履歴テーブルは呼び返し（オートリターンダイアル）にも使用される。即ち、着信履歴テーブルを制御機器ＰＣの画面に表示させ、マウスを操作して図７に示すように相手を選択した上で確認ボタンを押すことにより電話機ＰＨに呼び返しを行わせることができる。この場合、制御機器ＰＣから電話機ＰＨに対して予めオンフックダイアルコマンドを送信しておき、実際の通話は電話機ＰＨのみで行わせる。
【００８０】
図８は、固定データの一例として電話機のアイコンを示す。図８（Ａ）はオンフック状態の電話機、図８（Ｂ）はオフフック状態の電話機を表す。呼び出し信号受信中は図８（Ａ）に示すアイコンが点滅したりアニメーションにより振動したりするようになっている。又、必要に応じて位置を動かしたり、形状を変化させたりすることも可能である。
【００８１】
以下、上記テレビジョン受像機ＴＶ、電話機ＰＨ、制御機器ＰＣからなるディジタルＡＶシステムの発信電話番号通知対応動作について、図９、図１０、図１１に示す流れ図を用いて説明する。なお、これらの流れ図においては、「発信電話番号」を「発ＩＤ」と記載してある。
【００８２】
先ず、交換機は発呼する場合は、加入者線５８の極性を反転すると共に、発ＩＤ起動信号を送出する。電話機ＰＨは、加入者線５８の極性反転と発ＩＤ起動信号を受信すると、加入者線５８に直流ループを形成することにより、一次応答信号を交換機へ送信する。
【００８３】
交換機側は、一次応答信号を受信すると、発ＩＤ通知か又は非通知理由を送出する。非通知理由の区分は、発信者が発ＩＤを送出することを拒否した着信か、提供地域外からの着信か、または、公衆電話からの着信かを示す。
【００８４】
通信機器である電話機ＰＨは、交換機から発ＩＤを受信すると、１３９４Ｉ／Ｆ５３を通じて制御機器ＰＣへ発ＩＤ情報を通知する。即ち、制御機器ＰＣは、通信回線の状態を監視しているといえる。従って、着信、発呼等に際しての応答履歴等を制御機器ＰＣのディスク装置等に記録して管理することもできる。
この通知を受けた制御機器ＰＣは、１３９４Ｉ／Ｆ３４を介して発ＩＤ情報を受信すると、図９に示す発信電話番号通知処理の実行を開始する（ステップＳＴ１、ＳＴ２）。
【００８５】
制御機器ＰＣがここで受信した発ＩＤ情報が”非通知”の場合は、非通知の理由を調べ、その理由に応じて以下のような処理を行う（ステップＳＴ３）。
【００８６】
（１）非通知理由がエリア外からの着信である場合は、表示データの文字列”エリア外（青）”を表示データを格納するＲＡＭの特定の領域（表示バッファ）に設定すると共に、音声データ”エリア外”を音声データを格納するＲＡＭの特定の領域（音声バッファ）に設定する（ステップＳＴ４、ＳＴ５、ＳＴ６）。
【００８７】
（２）非通知理由が発信電話番号の送信拒否による場合は、表示データの文字列”通知拒否”（赤）を表示バッファに設定すると共に、通知拒否の場合の音声データを音声バッファに設定する（ステップＳＴ７、ＳＴ８、ＳＴ９）。
【００８８】
（３）非通知理由が公衆電話からの発信である場合は、表示データ”公衆電話”（緑）を表示バッファに設定すると共に、音声データ”公衆電話”を音声バッファに設定する（ステップＳＴ１０、ＳＴ１１、ＳＴ１２）。
【００８９】
（４）非通知理由が不明の場合は、表示データ”？”を表示バッファに設定すると共に、不明の場合の音声データを音声バッファに設定する（ステップＳＴ１０、ＳＴ１３、ＳＴ１４）。
【００９０】
以上のように表示バッファに表示データを設定した後、制御機器ＰＣはこの表示データを１３９４Ｉ／Ｆを介してテレビジョン受像機ＴＶへ転送し、表示を依頼する。
【００９１】
一方、発信電話番号通知があったときは、図１０に示すように、ユーザー登録テーブル６１から通知のあった発信電話番号に対応する登録データを検索する（ステップＳＴ３、ＳＴ１６）。
【００９２】
通知のあった発信電話番号と同一の電話番号がユーザー登録テーブル６１の発信電話番号６１ａに登録されている場合は、その発信電話番号に対応する着信時の処理情報である着信設定情報６１ｄを調べる（ステップＳＴ１７、ＳＴ２４）。
【００９３】
一方、通知のあった発信電話番号と同一の電話番号が登録されていない場合は、次にプリセットテーブル６０を検索する（ステップＳＴ１７、ＳＴ１８）。
【００９４】
プリセットテーブル６０の発信電話番号６０ａに対応する電話番号があった場合は、プリセットテーブル６０から表示情報を抽出してテレビジョン受像機ＴＶへ送信すると共に、ディジタル音声データを音声バッファに設定する（ステップＳＴ１９、ＳＴ２２、ＳＴ２３）。一方、プリセットテーブル６０に対応データが無い場合は、発信電話番号のみで表示データを作成すると共に、デフォルトの音声データを作成し音声バッファに設定する（ステップＳＴ１９、ＳＴ２０、ＳＴ２１）。
【００９５】
ユーザー登録テーブル６１の着信設定情報６１ｄに自動着信の指定がない場合は、登録テーブル６１の文字列６１ｂ、例えば”シンジュクサラ”を抽出してテレビジョン受像機ＴＶへ送信すると共に、選択メロディ例えば”メロディー２”を抽出して音声バッファに設定する（ステップＳＴ２５、ＳＴ２６）。自動着信指定がある場合は、制御機器ＰＣは電話機ＰＨに対して１３９４バスを介して電話機ＰＨをオフフックにするよう指示し、電話機ＰＨを交換機と接続させた後、ユーザー登録テーブル６１に登録されている音声メッセージを１３９４Ｉ／Ｆと電話機ＰＨを通じて相手側へ送信する（ステップＳＴ２７、ＳＴ２８）。この場合、自動着信指定が伝言である場合には、相手が電話を切るまでメッセージの送信を繰り返す（ステップＳＴ２８、ＳＴ２９、ＳＴ３０）。
【００９６】
尚、ＮＣＵ４０が内線か外線かの呼び出し信号判定手段を有していれば、電話機ＰＨに呼び出しがかかったときに、内線か外線かを示す情報をＣＰＵ４４に通知し、この情報をＣＰＵ４４が制御機器ＰＣのＣＰＵに転送すれば、内線の場合と外線の場合とで表示の内容、音声出力の音声を変えることも可能である。
【００９７】
次に、電話機ＰＨに対して１３９４バスを介してオンフックを指示して交換機との間の回線を切った後、発信電話番号と自動着信履歴とを時間データと共にＥＥＰＲＯＭ等に記録して終了する（ステップＳＴ３１、ＳＴ３２）。尚、ここで記録した内容は、図７のような画面によって随時見ることができる。
【００９８】
次に、制御機器ＰＣの上記音声バッファに設定された音声データ、即ち、発信音、メロディ、又は地域名を１３９４バスを通じて電話機ＰＨへ繰り返し送信する（ステップＳＴ３３）。これにより、電話機ＰＨからは、発信音、メロディ、又は地域名が繰り返し出力される。地域名音声データは、例えば”札幌から電話です”のような形式で出力される。
【００９９】
次に、制御機器ＰＣは、電話機ＰＨから１３９４バスを通じてオフフック検出通知があったならば音声出力を停止し、発信電話番号と着信履歴をＥＥＰＲＯＭ等に記憶し、電話機ＰＨからオンフック検出信号が送信されてくるまで待つ（ステップＳＴ３４、ＳＴ３５、ＳＴ３６）。
【０１００】
電話機ＰＨからのオフフック検出通知が無いないまま呼出信号が消失した場合つまり相手が電話を切った場合には、上記音声バッファからの音声データの出力を停止し、発信電話番号と非着信履歴とをＥＥＰＲＯＭ等に記憶すると共に、テレビジョン受像機ＴＶに対して１３９４バスを通じて表示終了を指示して終了する（ステップＳＴ３４、ＳＴ３７、ＳＴ３８、ＳＴ３９、ＳＴ４５）。
【０１０１】
電話機ＰＨにおいてオフフックがあり話し中は、電話機ＰＨ側でオンフックするか、相手側が切るか、或いは一定時間が経過したかのいずれかの場合に、通話終了時間をＥＥＰＲＯＭ等に記録すると共に、テレビジョン受像機ＴＶに対して１３９４バスを通じて表示終了を指示して終了する（ステップＳＴ４１、ＳＴ４２、ＳＴ４３、ＳＴ４４、ＳＴ４５）。
【０１０２】
前述のようにテレビジョン受像機ＴＶへ送信されたメッセージは、例えば、図１２〜図１５に示すようにＴＶ画面７ａに表示される。図１２は発信電話番号の非通知理由が公衆電話の場合、図１３は発信電話番号の非通知理由が不明の場合、図１４は、発信電話番号通知が有りユーザー登録テーブル６１に登録が無い場合、図１５はユーザー登録テーブルに登録された”シンジュクサラ”から呼び出しがあった場合の夫々の表示例である。
尚、これらの表示においては、夫々の情報毎に異なる色で表示する等も可能である。
【０１０３】
以上説明した実施の形態では、電話機ＰＨがアナログ電話回線に接続されている場合について説明したが、図１６に示すように、電話機ＰＨがＴＡ、ＤＳＵを備えていれば、ディジタル電話回線とも接続して、ディジタル電話回線から通知される発信電話番号に基づいて、上記説明したディジタルＡＶシステムと同様の動作を行わせることができる。
【０１０４】
又、図１及び図１６に示す形態においては、テレビジョン受像機ＴＶ、電話機ＰＨ、制御機器ＰＣが夫々独立して存在し、これらを１３９４バスを介して接続しているが、各機器が所有するリソースを有効に活用できれば、必ずしもこれらの機器が独立している必要はない。例えば、図１７に示すように、テレビジョン受像機ＴＶ内に電話機ＰＨに相当する機能、即ち、ＭＯＤＥＭ及びＮＣＵを備えていれば、制御機器ＰＣが１３９４バスを介してテレビジョン受像機ＴＶ内のＭＯＤＥＭ及びＮＣＵを制御することによって、上述したディジタルＡＶシステムと同様の動作を実現することができる。
【０１０５】
尚、この場合は、テレビジョン受像機ＴＶ内に通信機能を持たせているため、テレビジョン受像機ＴＶに関しては通常のテレビジョン受像機ＴＶに比してコストの増加を伴うが、通信機能の制御は別個独立した制御機器ＰＣにより行うので、発信電話番号受信に関する機能及び性能は、制御機器のみの改良、例えばソフトウェアの改良による機能の拡張、メモリ容量の増加による処理能力のアップ等により向上させることができる。従って、大幅なコストの増加を伴わずにディジタルＡＶシステム全体の機能及び性能の向上を図ることが可能となる。
【０１０６】
又、図１８に示すように、制御機器ＰＣにＭＯＤＥＭ及びＮＣＵの機能を持たせることも可能である。この場合は、制御機器ＰＣのカードスロットにＭＯＤＥＭ及びＮＣＵの機能を有するカードを挿入する方法のほか、制御機器ＰＣに装備しているシリアルインタフェース等を介して外部にＭＯＤＥＭ及びＮＣＵの機能を有する通信機器を接続する方法によっても、上述のディジタルＡＶシステムを実現することが可能である。
尚、この場合も、テレビジョン受像機ＴＶ他のＡＶ機器のコストの増加を伴うことはなく、前記同様制御機器ＰＣの機能及び性能の向上によって、システム全体のパフォーマンスを向上させることができる。
【０１０７】
更に、制御機器は、ＣＰＵ、メモリ等の記憶／記録手段及び１３９４インタフェースを有していれば、パソコンだけに限られず、例えば、図１９に示すようにファミリーコンピュータ（登録商標）等の場合であってもよい。
【０１０８】
又、図１７及び図１８においては、ＭＯＤＥＭ及びＮＣＵを介してアナログ回線と接続しているが、ＩＳＤＮ等のディジタル回線と接続する場合には、以下のような接続が可能である。
（１）ＡＶ機器又は制御機器−ＭＯＤＥＭ−ＮＣＵ−ＴＡ−ＤＳＵ−ディジタル回線
（２）ＡＶ機器又は制御機器−ＴＡ−ＤＳＵ−ディジタル回線
（３）ＡＶ機器又は制御機器−ＤＳＵ−ディジタル回線
【０１０９】
コードレス電話の親機又は子機自体の機能を制御機器ＰＣ内にボードの形で内蔵させることもできる。この場合は、実際に通話に使う電話機側を使用者がオフフックすると、親機子機間のコマンドによる通信により、通話が始まる前に発信地域の名称をハンドセットからのみ聞こえるようにすることもできる。
【０１１０】
【発明の効果】
以上説明したように、本発明に係るディジタルＡＶシステムは、発信電話番号受信機能を有し、且つ、発信者関連情報を表示及び又は音声出力することができるので、「発信電話番号通知機能を備えた電話回線と接続したディスプレイ装置」（特願平７−２９２７７４）と同様に、下記の効果を奏する。
【０１１１】
（１）発信者関連情報をテレビジョン受像機の画面に表示する場合は、ディスプレイ装置であるテレビジョン受像機の画面を見ている時に電話が着信していること及び発信者に関する情報がテレビ画面に大きく表示されるから、特別な発信電話番号受信端末を必要としない。
（２）発信者を特定することができなくても発信地域が表示されることにより、発信者を想定し易くなり、かつ、相手が負担する通話料金も想定し易くなる。
【０１１２】
（３）発信電話番号が通知されなくても、公衆電話、エリア外、通知拒否等の非通知理由が分かれば、発信者を想定し易い。例えば、帰宅時間の公衆電話から発信が有れば帰宅を知らせる電話であるとか、エリア外からの発信であれば田舎の人からの電話だとかある程度想定することができる。また、通知拒否の場合には通話を避けることができる。
【０１１３】
（４）発信者関連情報が表示される装置を見ていない時でも、呼び出し音の違いにより、発信者や発信地域を想定することができる。
（５）予め電話番号と発信者との対応を登録しておくことによりメモリの許容範囲内で多数の発信者を記録しておき、着信時にすぐ特定することができる。当然、機器が故障しない限り忘れるということはない。これは、人間には電話番号と発信者との対応を記憶するには限界があり、郵政省の調査によれば、そらで覚えている電話番号は１０７等のサービスも含めて一人６〜１０個である。また、覚えていてもすぐに思い出せないこともあるからである。
【０１１４】
（６）オフフックする前に発信者が分かっているので、話し始めの声や態度を相手に合わせて変えることができるから通話を円滑に行うことができるようになる。
（７）単に表示するだけで無く、表示要素毎に色を変えてあるので、認識し易い。
【０１１５】
（８）迷惑電話をブロッキングすることができる。この場合、電話会社のブロッキングサービスを利用しないため、月々のサービス料金は不要である。ブロッキングメッセージもプリセットされたものだけでなく、自分の声で録音しておくことができるので、いたずら電話だけでなくブロッキング理由（例えば、”好きな人ができました。もう電話しないで下さい。”）を説明する応答もできる。
【０１１６】
（９）留守にする場合には、特定の発信者に対して伝言を伝えることができる。
（１０）受け損ねた直近の呼び出しに対して、発信電話番号や発信者を表示画面上で特定した上で呼び返しを行うことができる。
【０１１７】
（１１）着信履歴に発信電話番号や特定された発信者の属性が記録されるため、履歴を確認することにより、未着信の電話の回数により内容の重要性を知ることができ、また、迷惑電話のあった回数や時間や伝言が伝わっているかどうかの確認ができる。
【０１１８】
又、本発明に係るディジタルＡＶシステムは、前記した「発信電話番号通知機能を備えた電話回線と接続したディスプレイ装置」（特願平７−２９２７７４）が奏しうる効果に加えて下記の効果をも奏する。
（１）夫々のＡＶ機器の持つリソースを有効利用しているので、夫々のＡＶ機器は新たに発信電話番号通知処理のための回路やメモリを持つ必要がないから、各ＡＶ機器のコストを増加させないで、発信電話番号通知サービスを受けることができるシステムを構築することができる。
（２）パソコン等の制御機器上で動作するソフトウェアを改良するだけで、発信電話番号通知サービスの拡大に対処できる。
（３）パソコン等の制御機器の機能向上、例えばメモリ、ディスクの容量の増大、ＣＰＵの高速化等の改良により、ディジタルＡＶシステム全体の機能及び性能を向上させることができる。
【図面の簡単な説明】
【図１】本発明に係るディジタルＡＶシステムの第一の実施形態を示す説明図である。
【図２】図１のテレビジョン受像機ＴＶの構成を示すブロック図である。
【図３】図１の電話機ＰＨの構成を示すブロック図である。
【図４】図１の制御機器ＰＣがメモリ等に内蔵するプリセットテーブルの例を示す説明図である。
【図５】同制御機器ＰＣがメモリ等に内蔵するユーザー登録テーブルの例を示す説明図である。
【図６】同ユーザー登録テーブルの登録時の表示画面例を示す説明図である。
【図７】同制御機器ＰＣがメモリ等に内蔵する着信履歴記録の表示例を示す説明図である。
【図８】同制御機器ＰＣがメモリ等に内蔵する固定データの例を示す説明図である。
【図９】本発明に係るディジタルＡＶシステムの全体動作を示す流れ図である。
【図１０】同ディジタルＡＶシステムの全体動作を示す流れ図である。
【図１１】同ディジタルＡＶシステムの全体動作を示す流れ図である。
【図１２】テレビジョン受像機ＴＶへの表示例を示す説明図である。
【図１３】テレビジョン受像機ＴＶへの表示例を示す説明図である。
【図１４】テレビジョン受像機ＴＶへの表示例を示す説明図である。
【図１５】テレビジョン受像機ＴＶへの表示例を示す説明図である。
【図１６】本発明に係るディジタルＡＶシステムの第二の実施形態を示す説明図である。
【図１７】同ディジタルＡＶシステムの第三の実施形態を示す説明図である。
【図１８】同ディジタルＡＶシステムの第四の実施形態を示す説明図である。
【図１９】同ディジタルＡＶシステムの第五の実施形態を示す説明図である。
【図２０】発信電話番号通知機能を有する交換機と発信電話番号受信機能を有する端末機器との通信シーケンスを示す説明図である。
【符号の説明】
１：アンテナ，２：チューナ，３：中間周波回路，４：映像処理部，５：音声処理部，６：重畳表示処理部，７：表示器，７ａ：表示画面，８：混声処理部，９：スピーカ，２１：ＣＰＵ，２２：データバス，２３、２６、２９：Ｉ／Ｏ回路，２４：ＶＲＡＭ，２５：ディスプレイコントローラ，２７：リモコン信号デコーダ，２８：リモコン，３０：タイマ，３１、３２、３３：メモリ，３４：１３９４Ｉ／Ｆ，３５、３６：デコーダ，３７、３８：Ｄ／Ａ変換器，４０：ＮＣＵ，４１：切換スイッチ，４２：受話器，４３：モデム，４４：ＣＰＵ，４５：データバス，４６、４７、４８：Ｉ／Ｏ回路，４９，５０：メモリ，５１：ＬＣＤＣ，５２：ＬＣＤ，５３：１３９４Ｉ／Ｆ，５４：音声エンコーダ，５５：音声デコーダ，５６：Ｄ／Ａ変換器，５７：Ａ／Ｄ変換器，５８：加入者線，６０：プリセットテーブル，６１：ユーザー登録テーブル，６２、６３：表示例，テレビジョン受像機：ＴＶ、制御機器：ＰＣ、電話機：ＰＨ：本発明に係る「発信電話番号通知」対応ディジタルＡＶシステムを構成するテレビジョン受像機、パソコン、発信電話番号受信機能付き電話機。
【図１】
0003777579.tif 000002
【図２】
0003777579.tif 000003
【図３】
0003777579.tif 000004
【図４】
0003777579.tif 000005
【図５】
0003777579.tif 000006
【図６】
0003777579.tif 000007
【図７】
0003777579.tif 000008
【図８】
0003777579.tif 000009
【図９】
0003777579.tif 000010
【図１０】
0003777579.tif 000011
【図１１】
0003777579.tif 000012
【図１２】
0003777579.tif 000013
【図１３】
0003777579.tif 000014
【図１４】
0003777579.tif 000015
【図１５】
0003777579.tif 000016
【図１６】
0003777579.tif 000017
【図１７】
0003777579.tif 000018
【図１８】
0003777579.tif 000019
【図１９】
0003777579.tif 000020
【図２０】
0003777579.tif 000021